【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
撮影手段を備える情報処理装置であって、
当該情報処理装置の画面の向きを示す情報を取得する取得手段と、
前記取得手段で取得された情報が、縦長の画面に対応する向きを示す第１の場合には、前記撮影手段による撮影により得られる画像を１枚の画像として取得するための第１の画面を表示し、
前記取得手段で取得された情報が、横長の画面に対応する向きを示す第２の場合には、前記撮影手段による撮影により得られる画像を複数枚の画像に分割して取得するための、前記第１の画面とは異なる第２の画面を表示するように制御する制御手段と、
を備えることを特徴とする情報処理装置。
【請求項２】
前記制御手段は、前記第１の画面にはライブビュー画像を表示する領域の左右の区切りを示す表示物は表示することなく、前記第２の画面にライブビュー画像を表示する領域の左右の区切りを示す表示物を表示するように制御することを特徴とする請求項１に記載の情報処理装置。
【請求項３】
前記制御手段は、前記第１の画面に第１の用紙サイズを示す表示物を表示し、前記第２の画面に前記第１の用紙サイズよりも大きい第２の用紙サイズを示す表示物を表示するように制御することを特徴とする請求項１または２に記載の情報処理装置。
【請求項４】
前記制御手段は、
前記第１の画面を表示した後に、ユーザからの操作に応じて、当該情報処理装置の向きにかかわらず、前記第２の画面に切り替える制御と、
前記第２の画面を表示した後に、ユーザからの操作に応じて、当該情報処理装置の向きにかかわらず、前記第１の画面に切り替える制御と、
のうち少なくとも一方を行うことを特徴とする請求項１乃至３のいずれか１項に記載の情報処理装置。
【請求項５】
前記制御手段は、
前記第１の画面を表示している際に受け付けた撮影指示に応じた前記撮影手段による撮影により得られた画像を１枚の画像として取得し、
前記第２の画面を表示している際に受け付けた撮影指示に応じた記撮影手段による撮影により得られた画像を複数枚の画像に分割して取得する
ように制御することを特徴とする請求項１乃至４のいずれか１項に記載の情報処理装置。
【請求項６】
前記制御手段は、前記第２の画面を表示している際に受け付けた撮影指示に応じた撮影により得られた画像を複数枚の画像に分割して取得した後は、当該情報処理装置の姿勢が変わっても前記第１の画面には切り替えないように制御することを特徴とする請求項５に記載の情報処理装置。
【請求項７】
前記第１の画面と前記第２の画面はそれぞれライブビュー画像が表示される画面であることを特徴とする請求項１乃至６のいずれか１項に記載の情報処理装置。
【請求項８】
撮影手段を備える情報処理装置であって、
当該情報処理装置の画面の向きを示す情報を取得する取得手段と、
前記撮影手段による撮影の際に前記取得手段で取得された情報が、縦長の画面に対応する向きを示す第１の場合には、前記撮影手段による撮影により得られた画像を１枚の画像として取得し、
前記撮影手段による撮影の際に前記取得手段で取得された情報が、横長の画面に対応する向きを示す第２の場合には、前記撮影手段による撮影により得られた画像を複数枚の画像に分割して取得するように制御する制御手段と、
を備えることを特徴とする情報処理装置。
【請求項９】
前記制御手段は、前記撮影手段により得られた画像を、前記第１の場合には１枚の画像として記憶し、前記第２の場合には複数枚の画像に分割して記憶するように制御することを特徴とする請求項８に記載の情報処理装置。
【請求項１０】
撮影手段を備える情報処理装置であって、
当該情報処理装置の画面の向きを示す情報を取得する取得手段と、
前記撮影手段による撮影の際に前記取得手段で取得された情報が、縦長の画面に対応する向きを示す第１の場合には、前記撮影手段による撮影により得られた画像を１枚の画像として出力し、
前記撮影手段による撮影の際に前記取得手段で取得された情報が、横長の画面に対応する向きを示す第２の場合には、前記撮影手段による撮影により得られた画像を複数枚の画像に分割して出力するように制御する制御手段と、
を備えることを特徴とする情報処理装置。
【請求項１１】
前記制御手段は、前記撮影手段により得られた画像を、前記第１の場合には１枚の画像として表示し、前記第２の場合には複数枚の画像に分割して表示するように制御することを特徴とする請求項１０に記載の情報処理装置。
【請求項１２】
前記制御手段は、前記第２の場合に、前記複数枚の画像を互いに間隔を空けて表示するように制御することを特徴とする請求項１１に記載の情報処理装置。
【請求項１３】
前記制御手段は、前記撮影手段により得られた画像を、前記第１の場合には１つの選択肢として出力し、前記第２の場合には複数の選択肢に分割して出力するように制御することを特徴とする請求項１０乃至１２のいずれか１項に記載の情報処理装置。
【請求項１４】
前記制御手段は、前記撮影手段により得られた画像を、前記第１の場合には１枚の画像として送信し、前記第２の場合には複数枚の画像に分割して送信するように制御することを特徴とする請求項１０乃至１３のいずれか１項に記載の情報処理装置。
【請求項１５】
前記制御手段は、前記撮影手段により得られた画像を、前記第１の場合には１つのページとして送信し、前記第２の場合には複数のページに分割して送信するように制御することを特徴とする請求項１０乃至１３のいずれか１項に記載の情報処理装置。
【請求項１６】
前記縦長の画面に対応する向きは、画面の長手方向に文字列の上下方向が沿うように表示される向きであり、
前記横長の画面に対応する向きは、画面の短手方向に文字列の上下方向が合うように表示される向きである
ことを特徴とする請求項１乃至１５のいずれか１項に記載の情報処理装置。  
【請求項１７】
前記取得手段で取得する情報は、当該情報処理装置の重力方向に対する姿勢に基づく向きであって、予め定められた複数の向きのいずれかを示す情報であることを特徴とする請求項１乃至１６のいずれか１項に記載の情報処理装置。
【請求項１８】
前記予め定められた複数の向きは、Ｐｏｒｔｒａｉｔ、Ｌａｎｄｓｃａｐｅｌｅｆｔ、Ｌａｎｄｓｃａｐｅｒｉｇｈｔを含み、前記Ｐｏｒｔｒａｉｔは縦長の画面に対応する向きであり、前記Ｌａｎｄｓｃａｐｅｌｅｆｔと前記Ｌａｎｄｓｃａｐｅｒｉｇｈｔは横長の画面に対応する向きであることを特徴とする請求項１７に記載の情報処理装置。
【請求項１９】
前記取得手段で取得する情報は、当該情報処理装置が備える加速度センサからの出力に基づく情報であることを特徴とする請求項１乃至１８のいずれか１項に記載の情報処理装置。
【請求項２０】
前記制御手段は、前記第１の場合と第２の場合のいずれにおいても、撮影された画像に含まれる特定の被写体を認識し、前記特定の被写体が矩形となるように補正した画像を取得するように制御することを特徴とする請求項１乃至１９のいずれか２項に記載の情報処理装置。
【請求項２１】
前記特定の被写体は用紙であることを特徴とする請求項２０に記載の情報処理装置。
【請求項２２】
前記制御手段は、前記第１の場合には前記撮影手段による１回の撮影により得られる画像を１枚の画像として取得し、前記第２の場合には前記撮影手段による１回の撮影により得られる画像を複数枚の画像に分割して取得するように制御することを特徴とする請求項１乃至２１のいずれか１項に記載の情報処理装置。
【請求項２３】
撮影手段と、
１つの用紙を被写体とした１回の撮影で１つの撮影画像を取得する撮影制御手段と、
前記撮影画像のうち前記用紙が写る部分を矩形に近づくように画像の形状を変形する補正をするとともに、複数の領域に分割して左側画像と右側画像とを生成するように処理する処理手段と、
前記処理手段による処理によって生成された前記左側画像と前記右側画像とを互いに異なるページとして表示するように制御する表示制御手段と
を有することを特徴とする情報処理装置。
【請求項２４】
前記表示制御手段は、前記撮影制御手段による前記撮影の際に、ライブビュー画像を表示する領域の左右の区切りを示す表示物を表示するように制御することを特徴とする請求項２３に記載の情報処理装置。
【請求項２５】
特定の条件を満たす場合には、前記処理手段は、前記撮影画像のうち前記用紙が写る部分を矩形に近づくように画像の形状を変形する補正しように処理し、前記制御手段は、前記処理手段による処理によって生成された前記１つの画像を単一のページとして表示するように制御し、
前記特定の条件を満たさない場合には、前記処理手段は前記左側画像と前記右側画像とを生成し、前記表示制御手段は、前記処理手段による処理によって生成された前記左側画像と前記右側画像とを互いに異なるページとして表示するように制御する
ことを特徴とする請求項２３または２４に記載の情報処理装置。
【請求項２６】
撮影手段を備える情報処理装置の情報処理方法であって、
当該情報処理装置の画面の向きを示す情報を取得する取得工程と、
前記取得工程で取得された情報が、縦長の画面に対応する向きを示す第１の場合には、前記撮影手段による撮影により得られる画像を１枚の画像として取得するための第１の画面を表示し、
前記取得工程で取得された情報が、横長の画面に対応する向きを示す第２の場合には、前記撮影手段による撮影により得られる画像を複数枚の画像に分割して取得するための、前記第１の画面とは異なる第２の画面を表示するように制御する制御工程と、
を含むことを特徴とする情報処理方法。
【請求項２７】
撮影手段を備える情報処理装置の情報処理方法であって、
当該情報処理装置の画面の向きを示す情報を取得する取得工程と、
前記撮影手段による撮影の際に前記取得工程で取得された情報が、縦長の画面に対応する向きを示す第１の場合には、前記撮影手段による撮影により得られた画像を１枚の画像として取得し、
前記撮影手段による撮影の際に前記取得工程で取得された情報が、横長の画面に対応する向きを示す第２の場合には、前記撮影手段による撮影により得られた画像を複数枚の画像に分割して取得するように制御する制御工程と、
を含むことを特徴とする情報処理方法。
【請求項２８】
撮影手段を備える情報処理装置の情報処理方法であって、
当該情報処理装置の画面の向きを示す情報を取得する取得工程と、
前記撮影手段による撮影の際に前記取得工程で取得された情報が、縦長の画面に対応する向きを示す第１の場合には、前記撮影手段による撮影により得られた画像を１枚の画像として出力し、
前記撮影手段による撮影の際に前記取得工程で取得された情報が、横長の画面に対応する向きを示す第２の場合には、前記撮影手段による撮影により得られた画像を複数枚の画像に分割して出力するように制御する制御工程と、
を含むことを特徴とする情報処理方法。
【請求項２９】
撮影工程と、
１つの用紙を被写体とした１回の撮影で１つの撮影画像を取得する撮影制御工程と、
前記撮影画像のうち前記用紙が写る部分を矩形に近づくように画像の形状を変形する補正をするとともに、複数の領域に分割して左側画像と右側画像とを生成するように処理する処理工程と、
前記処理工程による処理によって生成された前記左側画像と前記右側画像とを互いに異なるページとして表示するように制御する制御工程と
を含むことを特徴とする情報処理方法。
【請求項３０】
コンピュータを、請求項１乃至２５のいずれか１項に記載された情報装置の各手段として機能させるためのプログラム。
【手続補正２】
【補正対象書類名】明細書
【補正対象項目名】０００８
【補正方法】変更
【補正の内容】
【０００８】
本発明は、撮影に応じて得られる画像の数を容易に調整可能な仕組みを提供することを目的とする。
【手続補正３】
【補正対象書類名】明細書
【補正対象項目名】０００９
【補正方法】変更
【補正の内容】
【０００９】
本発明は、撮影手段を備える情報処理装置であって、
当該情報処理装置の画面の向きを示す情報を取得する取得手段と、
前記取得手段で取得された情報が、縦長の画面に対応する向きを示す第１の場合には、前記撮影手段による撮影により得られる画像を１枚の画像として取得するための第１の画面を表示し、
前記取得手段で取得された情報が、横長の画面に対応する向きを示す第２の場合には、前記撮影手段による撮影により得られる画像を複数枚の画像に分割して取得するための、前記第１の画面とは異なる第２の画面を表示するように制御する制御手段と、
を備えることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明によれば、撮影に応じて得られる画像の数を容易に調整可能な仕組みを提供することができる。